(57)【要約】【課題】迅速に縦横方向に連結できるカット板の構造を提供する。【解決手段】  主に二枚のカット板と少なくとも一つの組立部品で構成する縦横方向に連結できるカット板の構造である。各カット板の周りに少なくとも一つの凹部を設け、表面に升目を設ける。少なくとも一つの組立部品をカット板の凹部に掛合する。各カット板の周りに設ける少なくとも一つの凹部に、該組立部品をそこに嵌合して連結することができるため、カット板とカット板が上下の縦方向、或いは左右の横方向、或いは上下左右の縦横方向に連結することができ、カット板とカット板を迅速に縦横方向に連結できる目的に達する。【選択図】  図５
0003165460.tif 000002
【実用新案登録請求の範囲】
【請求項１】
カット板及び組立部品を含み、
少なくとも二枚のカット板の周りに少なくとも一つの凹部を設け、周りに目盛りを設け、
少なくとも一つの組立部品を各カット板の凹部に嵌合することを特徴とする迅速に縦横方向に連結できるカット板の構造。
【請求項２】
前記各カット板の表面に升目を具有することを特徴とする請求項１記載の迅速に縦横方向に連結できるカット板の構造。
【請求項３】
前記組立部品は少なくとも二つの掛合部を設け、該掛合部は凸部とし、また、該組立部品はＵ字型或いは四つ足の形であることを特徴とする請求項１記載の迅速に縦横方向に連結できるカット板の構造。
【考案の詳細な説明】
【技術分野】
【０００１】
本考案は迅速に縦横方向に連結できるカット板の構造に関し、特にカット板とカット板が上下の縦方向、或いは左右の横方向、或いは上下左右の縦横方向にカット板を迅速に嵌合して連結できるカット板の構造に関する。
【背景技術】
【０００２】
中華民国の公知の特許申請案第Ｍ３６７１０５号の「カット板」は、第一エコロジー素材の軽量層、第二エコロジー素材の軽量層及び、エコロジー軽量発泡層で構成し、該軽量発泡層は第一及び第二軽量層の間に結合する。第一軽量層及び第二軽量層はいずれもＰＰ(Polyproylene、ポリプロピレン)或いはＰＥ(Polyethylene、ポリエチレン)で構成し、該軽量発泡層はＰＰ、ＰＥ、ＥＶＡ(Ethylene Vinyl Acetate、エチレンビニールアセテート)などのエコロジー軽量発泡素材で構成し、環境に優しく、軽量化の目的に達した。
【０００３】
該「カット板」はエコロジーで軽量化の目的に達したが、該「カット板」は連結構造を設けていないため、裁断面積は一定で増やすことができず、ユーザーが物品をカットする際に、該「カット板」を頻繁に移動しなければならない。
【０００４】
上記を鑑みて、「組立式カット板構造」を案出した人がいた。図１に示すように、該結合金具８の下層８１及び上層８３で二枚のカット板７が並列した部分に挟んでから、二つのネジ８２をそれぞれ該結合金具８の上層８３にある二つの穴８４に通して螺合する。それによって二枚のカット板７は該結合金具８によって挟まれて結合し、カット板７の裁断面積が拡大し、「カット板」の裁断面積を増やせない欠点を解決した。
【０００５】
しかし、該「組立式カット板構造」はカット板７の裁断面積を拡大することはできるが、該結合金具８の上層と下層８３、８１はそれぞれカット板７の上方と下方に位置して二枚のカット板７を挟んで固定するため、カット板７を卓上など平面に置くと、不安定な状態になり、カッターを使って物品を裁断する際に、カッターが該物品を切り損なって壊し易い。また、該結合金具８は二枚のカット板７が並列した部分の外縁に固定するため、該結合金具８の折り返し８５が二枚のカット板７の並列した部分の上方から突出するため、カット板７の上方の縦方向にほかのカット板７を連結することができない。それにより、二枚のカット板７は該結合金具８によって結合した後は、左右の横方向にカット板７を繋げるしかできず、縦方向に拡大することができない。
【０００６】
前記の欠点を鑑みて、更に改良案を案出したのは、図２に示すような「ジョイント式カット板」である。二枚のカット板９１、９４の周りに複数の凸部９２、９５及び凹部９３、９６を設け、一枚のカット板９１の凸部９２を別のカット板９４の凹部９６と嵌合連結し、また、カット板９１の凹部９３を別のカット板９４の凸部９５と嵌合連結することで、二枚のカット板９１、９４は左右或いは上下に連結することができ、「組立式カット板の構造」の欠点を改善した。
【０００７】
該「ジョイント式カット板」は二枚のカット板９１、９４を嵌合連結して左右の横方向或いは上下の縦方向に拡大することはできるが、該カット板９１、９４の周りに設ける複数個の凸部９２、９５及び凹部９３、９６をそれぞれ、凸部９２、９５と凹部９３、９６に一つ一つ嵌合して連結する必要があるため、連結速度が極めて遅いことを鑑みて、更なる改善をする必要があった。
【先行技術文献】
【特許文献】
【０００８】
【特許文献１】中華民国特許申請案第Ｍ３６７１０５号明細書
【考案の概要】
【考案が解決しようとする課題】
【０００９】
前記公知構造の欠点を解決するため、本考案は迅速に縦横方向に連結できるカット板の構造を提供することを主な課題とする。
【課題を解決するための手段】
【００１０】
前記課題を解決するために、本考案は迅速に縦横方向に連結できるカット板の構造を提供するものであり、それに含まれるのは、少なくとも二枚のカット板及び一つの組立部品である。各カット板の周りに少なくとも一つの凹部を設け、表面に升目を設ける。該組立部品をカット板の凹部に嵌合する。
【００１１】
各カット板の周りに設ける少なくとも一つの凹部に該組立部品を嵌合することで、カット板とカット板同士が上下の縦方向、或いは左右の横方向、或いは上下左右の縦横方向ともに連結することができ、カット板同士を迅速に縦横方向に連結することができる。
【考案の効果】
【００１２】
本考案はカット板に凹部を設け、組立部品を二枚のカット板の凹部に嵌合することで、カット板とカット板は上下の縦方向、或いは左右の横方向、或いは上下左右の縦横方向ともに迅速に嵌合連結することができる。
【図面の簡単な説明】
【００１３】
【図１】従来技術の部分組立略図である。
【図２】別の従来技術の組立略図である。
【図３】本考案の全体分解略図である。
【図４】本考案の立体組立略図である。
【図５】図４の俯瞰略図である。
【図６】本考案のカット板を左右の横方向に嵌合連結する略図である。
【図７】本考案のカット板を上下左右の縦横方向に嵌合連結する俯瞰略図である。
【図８】本考案を使用する際のカッターと被裁断物の動作略図である。
【考案を実施するための形態】
【００１４】
本考案による迅速に縦横方向に連結できるカット板の構造を明確に示すために図に沿って詳細な説明を行う。
【００１５】
図３、図４に示すように、本考案の迅速に縦横方向に連結できるカット板に含まれるのは、少なくとも二枚のカット板１、２と、各カット板１、２の周りに少なくとも一つの凹部１１、２１を設け、表面には升目１２、２２、周りに目盛り１３、２３を設置する。
【実施例】
【００１６】
図５に示すように、少なくとも一つの組立部品３をカット板１、２の凹部１１、２１に嵌合する。該組立部品３は少なくとも二つの掛合部３１、３２を設け、それぞれ二枚のカット板１、２の凹部１１、２１に嵌合する。また、該掛合部３１、３２は凸部とし、該組立部品３をＵ字型とすることもでき、図７に示すように、該組立部品３は四つ足の形にすることもできる。
【００１７】
図５、図６、図７に示すように、各カット板１、２の周りに少なくとも一つの凹部１１、２１を設けて、該組立部品３を該凹部１１、２１に嵌合して、カット板１とカット板２を上下の縦方向、或いは左右の横方向、或いは上下左右の縦横方向に嵌合連結することができ、迅速に縦横方向に連結する目的に達すと同時に、従来技術の二枚のカット板７を卓上など平面に置くと、不安定な状態になる欠点を解決することができる。
【００１８】
図８に示すように、本考案のカット板１とカット板２を組み合わせた後、テーブル４に置き、テーブルマットとして使用できるほか、二枚のカット板１、２の上に被裁断物４０を置くことができる。該被裁断物４０は紙、或いは布であり、各カット板１、２の表面に升目１２、２２と、周りに目盛り１３、２３を設置するため、ものさしとして使うこともできる。ユーザーは手５で裁断ツール５０を持って、升目１２、２２或いは目盛り１３、２３に従って、該被裁断物４０をユーザーの必要のサイズに裁断することができる。
【産業上の利用可能性】
【００１９】
本考案は各カット板１、２の周りに少なくとも一つの凹部１１、２１を設け、組立部品３をカット板１、２の凹部１１，２１に嵌合して連結するため、カット板１とカット板２を上下の縦方向、或いは左右の横方向、或いは上下左右の縦横方向に迅速に嵌合連結できる目的に達する。
【００２０】
本考案と従来技術を比較すると、
従来技術：
1.二枚のカット板を卓上など平面に置くと、不安定な状態になるため、ユーザーがカッターを使って被裁断物を裁断する際、カッターが該物品を切り損なって壊し易い。
2.該結合金具８で二枚のカット板７を固定すると、横方向にのみ他のカット板を連結することしかできず、上下の縦方向に拡大することができない。
3.組立速度が極めて遅い。
【００２１】
本考案のメリット：
1.カット板とカット板を上下の縦方向、或いは左右の横方向、或いは上下左右の縦横方向に嵌合連結することができる。
2.カット板とカット板を迅速に縦横方向に嵌合連結することができる。
3.従来技術の不安定な状態である欠点を解決することができる。
【符号の説明】
【００２２】
１、２、カット板
１１、２１、凹部
１２、升目
１３、２３、目盛り
３、組立部品
３１、３２、掛合部
４、テーブル
４０、被裁断物
５、手
５０、裁断ツール
７、カット板
８、結合金具
８１、下層
８２、ねじ
８３、上層
８４、穴
８５、折り返し
９１、９４カット板、
９２、９５、凸部
９３、９６凹部、
【図１】
0003165460.tif 000003
【図２】
0003165460.tif 000004
【図３】
0003165460.tif 000005
【図４】
0003165460.tif 000006
【図５】
0003165460.tif 000007
【図６】
0003165460.tif 000008
【図７】
0003165460.tif 000009
【図８】
0003165460.tif 000010